(57)【要約】【課題】  本発明は、仕立てが容易であることに加え、帯布を無駄にせず経済的に仕立てられる名古屋帯を提供することを目的とする。【解決手段】  開示の名古屋帯は、柄が異なる二種類の帯として使用することができ、全幅の垂れ、半幅の手及び半幅の手先の順に続く名古屋帯であって、前記垂れの表面及び裏面に、それぞれ異なる第一の柄又は第二の柄が、重複が無いように一つずつ配置され、前記垂れに続く前記手が、当該名古屋帯着用者の胴部分に二重に巻いて着用する形態であり、前記手の前半部及び後半部に、前記第一の柄又は前記第二の柄が、重複が無いように一つずつ配置され、前記手に続く前記手先の前半部及び後半部に、前記第一の柄又は前記第二の柄が、重複が無いように一つずつ配置されることを特徴とする。【選択図】図３
2014080699.tif 000002
【特許請求の範囲】
【請求項１】
柄が異なる二種類の帯として使用することができ、全幅の垂れ、半幅の手及び半幅の手先の順に続く名古屋帯であって、
前記垂れの表面及び裏面に、それぞれ異なる第一の柄又は第二の柄が、重複が無いように一つずつ配置され、
前記垂れに続く前記手が、当該名古屋帯着用者の胴部分に二重に巻いて着用する形態であり、前記手の前半部及び後半部に、前記第一の柄又は前記第二の柄が、重複が無いように一つずつ配置され、
前記手に続く前記手先の前半部及び後半部に、前記第一の柄又は前記第二の柄が、重複が無いように一つずつ配置されることを特徴とする名古屋帯。
【請求項２】
前記垂れの裏面、該垂れの表面、前記手の前半部、該手の後半部、前記手先の前半部及び該手先の後半部の順に続く全幅の一本の帯布から仕立てられることを特徴とする請求項１に記載の名古屋帯。
【請求項３】
前記垂れの裏面には前記第一の柄が配置され、前記垂れの表面及び前記手の前半部には前記第二の柄が配置され、前記手の後半部及び前記手先の前半部には前記第一の柄が配置され、前記手先の後半部には前記第二の柄が配置されることを特徴とする請求項１又は２に記載の名古屋帯。
【発明の詳細な説明】
【技術分野】
【０００１】
和服の名古屋帯の技術に関する。
【背景技術】
【０００２】
フォーマルな用途で使用する和服の帯として袋帯を挙げるならば、カジュアルな帯として名古屋帯と呼ばれるものが有る。名古屋帯は、袋帯よりも簡単に締めることができ、素材や柄などで使い分けることによって、普段使いだけではなく、多少改まった場所でも締められる、とても重宝な帯である。
【０００３】
また、名古屋帯には幾つかの仕立て方があり、仕立て方で形が異なるのであるが、一般的な仕立て方である名古屋仕立てでは、着用者の胴に巻く部位から手先まで半幅に折って仕立てられる。
【０００４】
一方、一般的に和服の帯１本に対し柄は１つであり、和服の帯は高価なものであって、各人が多数の帯を保有することは金銭的負担の観点から難しい場合が多い。また、多数の帯を保有する場合であっても、日本の住宅事情を勘案すると、狭い家の中で帯の収納スペースを確保することは簡単なことではない。
【０００５】
上記のような事情から、和服の帯１本に多数の柄を配置し、１本であっても、柄の異なる複数の帯として使用することができる帯に関し多数の提案がなされている。特に名古屋帯に関しては、例えば、図１及び２で示すように、特許文献１では、名古屋帯の手及び手先の表面・裏面を利用して、１本で２種類の柄を楽しむことができる名古屋帯が提案されている。なお、図１は、特許文献１に記載の名古屋帯の展開図であり、図２は、仕立て後の名古屋帯を示す図である。
また、特許文献２乃至６においても、１本で２種類の柄を楽しむことができる名古屋帯が提案されている。
【先行技術文献】
【特許文献】
【０００６】
【特許文献１】実開昭４８−９２１２７号
【特許文献２】実開昭５７−３５３２４号
【特許文献３】実開昭５４−７６８１４号
【特許文献４】実開昭５３−７７０２８号
【特許文献５】実開昭５２−５４２２６号
【特許文献６】実公昭７−８８１８号
【発明の概要】
【発明が解決しようとする課題】
【０００７】
しかしながら、上記の従来技術においては、図１及び２で示すように、手及び手先の表面及び裏面に２つの帯柄を配置する形態であるため、当該部分では、２種類の帯布それぞれから切り出された２つの布を貼り合わせて縫い付ける必要が有り、仕立てが難しいという問題点があった。
【０００８】
また、名古屋仕立ての名古屋帯は、全幅の垂れと半幅の手との繋ぎ目部分に三角形を作る形態であるところ、上記の従来技術においては、図１及び２で示すように、垂れに続く半幅の手の表面と裏面にそれぞれ違う布を使用しているため、繋ぎ目部分の仕立て方が従来の名古屋帯のそれと異なり、仕立てが難しくなるという問題点があった。
【０００９】
さらに通常、帯布は全幅の形態で流通しているところ、上記の従来技術においては、２つの帯柄が配置される手及び手先の部分では、縫い代の分半幅より広めの帯布が必要となる。そのため、使い道の無い半幅未満の帯布が手及び手先の長さの分だけ余り、高価な帯布を無駄にしてしまうという問題点があった。
【００１０】
そこで本発明では、上記問題点に鑑み、仕立てが容易であることに加え、帯布を無駄にせず経済的に仕立てられる名古屋帯を提供することを目的とする。
【課題を解決するための手段】
【００１１】
開示する名古屋帯の一形態は、柄が異なる二種類の帯として使用することができ、全幅の垂れ、半幅の手及び半幅の手先の順に続く名古屋帯であって、前記垂れの表面及び裏面に、それぞれ異なる第一の柄又は第二の柄が、重複が無いように一つずつ配置され、前記垂れに続く前記手が、当該名古屋帯着用者の胴部分に二重に巻いて着用する形態であり、前記手の前半部及び後半部に、前記第一の柄又は前記第二の柄が、重複が無いように一つずつ配置され、前記手に続く前記手先の前半部及び後半部に、前記第一の柄又は前記第二の柄が、重複が無いように一つずつ配置されることを特徴とする。
【００１２】
さらに、開示する名古屋帯の一形態は、上記構成に加え、前記垂れの裏面、該垂れの表面、前記手の前半部、該手の後半部、前記手先の前半部及び該手先の後半部の順に続く全幅の一本の帯布から仕立てられることを特徴とする。
【００１３】
さらに、開示する名古屋帯の一形態は、上記構成に加え、前記垂れの裏面には前記第一の柄が配置され、前記垂れの表面及び前記手の前半部には前記第二の柄が配置され、前記手の後半部及び前記手先の前半部には前記第一の柄が配置され、前記手先の後半部には前記第二の柄が配置されることを特徴とする。
【発明の効果】
【００１４】
開示する名古屋帯は、仕立てが容易であることに加え、帯布を無駄にせず経済的に仕立てられる。
【図面の簡単な説明】
【００１５】
【図１】従来技術に係る名古屋帯の展開図である。
【図２】従来技術に係る仕立て後の名古屋帯を示す図である。
【図３】本実施の形態に係る名古屋帯（仕立て後）を示す図である。
【図４】本実施の形態に係る名古屋帯の展開図である。
【図５】本実施の形態に係る名古屋帯の使用方法を説明するための図（その１）である。
【図６】本実施の形態に係る名古屋帯の使用方法を説明するための図（その２）である。
【図７】本実施の形態に係る名古屋帯の使用方法を説明するための図（その３）である。
【図８】本実施の形態に係る名古屋帯の使用方法を説明するための図（その４）である。
【図９】本実施の形態に係る名古屋帯の使用方法を説明するための図（その５）である。
【図１０】本実施の形態に係る名古屋帯の使用方法を説明するための図（その６）である。
【図１１】本実施の形態に係る名古屋帯の使用方法を説明するための図（その７）である。
【図１２】本実施の形態に係る名古屋帯の使用方法を説明するための図（その８）である。
【図１３】本実施の形態に係る名古屋帯の使用方法を説明するための図（その９）である。
【図１４】本実施の形態に係る名古屋帯の使用方法を説明するための図（その１０）である。
【図１５】本実施の形態に係る名古屋帯の使用方法を説明するための図（その１１）である。
【図１６】本実施の形態に係る名古屋帯の使用方法を説明するための図（その１２）である。
【図１７】本実施の形態に係る名古屋帯の使用方法を説明するための図（その１３）である。
【発明を実施するための形態】
【００１６】
図面を参照しながら、本発明を実施するための形態について説明する。
（本実施の形態に係る名古屋帯の構造）
【００１７】
図３及び４を用いて、本実施の形態に係る名古屋帯１の構造について説明する。図３は、仕立て後の名古屋帯１の全体を示す図であり、図３（ａ）は名古屋帯１表面の平面図、図３（ｂ）は、名古屋帯１裏面の平面図である。また、図４は、名古屋帯１が仕立てられる前段階の１本の帯であるときの状態を示した図である。
【００１８】
名古屋帯１は、名古屋仕立てで仕立てられた名古屋帯であり、垂れ２（お太鼓）の部位は全幅であるが、着用者４０の胴に巻く手８から手先１４までは半幅に折って仕立てられている。また、名古屋帯１は、１本の帯でありながら、それぞれ異なる第一の柄２２、第二の柄２４を別々に表にして、２通りの帯柄を楽しむことができる。
図３で示すように、名古屋帯１は、垂れ２、手８、手先１４を有し、垂れ２、手８、手先１４は、この順序でひと続きになっている。
【００１９】
垂れ２は、着用者４０の背中にお太鼓を作る部位であり、垂れ２は、表面４、裏面６を備える。表面４、裏面６には、第一の柄２２、第二の柄２４が、重複することなく一つずつ配置される。
【００２０】
手８は、着用者４０の胴に２重に巻いて着用する。手８は、着用者４０の胴に１周、２周と巻いて着用する形態であっても良く、手許で２重にしたものを着用者４０の胴に１周させ着用する形態でも良い。手８は、前半部（１周目）１０、後半部（２周目）１２を備え、前半部１０、後半部１２には、第一の柄２２、第二の柄２４が、重複することなく一つずつ配置される。このとき、前半部１０の表面及び裏面は同じ柄となり、後半部１２の表面及び裏面も同じ柄となる。
【００２１】
手先１４の長さは、一般的な名古屋帯に付いている手先の長さの２倍である。手先１４は、前半部１６、後半部１８を備え、それぞれの長さは、一般的な名古屋帯に付いている手先の長さと同じである。前半部１６、後半部１８には、第一の柄２２、第二の柄２４が、重複することなく一つずつ配置される。このとき、前半部１６の表面及び裏面は同じ柄となり、後半部１８の表面及び裏面も同じ柄となる。
図３で示すように、名古屋帯１は、垂れ２、手の前半部１０、手の後半部１２、手先の前半部１６、手先の後半部１８の順序でひと続きになっている。
【００２２】
名古屋帯１は、図４で示すような１本の帯から仕立てられる。図４で示すように、名古屋帯１を仕立てる前の帯布の短手方向には１種類の帯布しか現れないため、垂れ表面４と手前半部１０との繋ぎ目に形成される三角部２０や半幅の手８及び１４の仕立て方は、一般的な名古屋帯の仕立て方と変わらず容易である。そのため、名古屋帯１は、一般的な名古屋帯で行われている機械縫製の手法もそのまま転用することができる。つまり、名古屋帯１は、従来の仕立て方での仕立てが可能であるため、仕立てが容易である。
【００２３】
また、半幅に仕立てる手８及び手先１４においては、全幅の帯布を半分に折って、表面と裏面は同じ柄とし、前半部と後半部で別々の柄を配置する構成である。そのため、名古屋帯１は、図１及び２で示すような手及び手先の部分で縫い代が必要な従来技術に比べ、少ない量の帯布で仕立てが可能である。
【００２４】
一般に、帯布は全幅で流通しているところ、図１及び２で示す従来技術では半幅に仕立てる手及び手先において、「半幅＋α（縫い代）」の幅の帯布が必要になり、使用しない「半幅−α」の部分は無駄になってしまう。そのため、図１及び２で示す名古屋帯は、２つの帯布について、手及び手先部分の長手方向の長さの分が必要となる。一方、名古屋帯１では、手８の半分の長さと手先１４の長さの帯布が有れば足りる。つまり、名古屋帯１は、２つの帯布について、図１及び２で示す名古屋帯よりも手８の半分の長さの帯布が少なくて済むのである。
【００２５】
また、図４で示すように、名古屋帯１においては、垂れ裏面６には第一の柄２２、垂れ表面８及び手前半部１０には第二の柄２４、手後半部１２及び手先前半部１６には第一の柄２２、手先後半部１８には第二の柄２４がそれぞれ配置されることが好適である。帯布を接ぐ箇所（帯布を接ぐ回数）が少なくて済むからである。
（本実施の形態に係る名古屋帯の使用方法）
【００２６】
図５乃至１７を用いて、本実施の形態に係る名古屋帯１の使用方法（名古屋帯１の巻き方）について説明する。ここでは、図３及び４で示されるように第一の柄２２、第二の柄２４が配置された名古屋帯１の巻き方について説明する。ただし、名古屋帯１は、第一の柄２２及び第二の柄２４の配置が如何様であっても、表に出てくる柄が第一の柄２２又は第二の柄２４の何れか一方となるように体に巻くことで、２つの帯柄を別々に楽しむことができる。
（１）お太鼓を先に作ってから帯を体に巻く方法
【００２７】
図５乃至１１を用いて、垂れ２でお太鼓を作った後、帯を体に巻き付ける方法について説明する。図５乃至１１は、垂れ２でお太鼓を作った後に帯を体に巻き付ける方法を順を追って説明する図である。
【００２８】
はじめに、垂れ表面４に配置される柄２４を表とする巻き方を説明する。第一の手順として、着用者４０は、図５で示すように、手８を横にして名古屋帯１を置き、垂れ（お太鼓）２を垂直上方に跳ね上げる。
【００２９】
第二の手順として、着用者４０は、自分の胴周りの長さの紐を準備しておき、その紐を用いて手８の長さを調節する。そして、着用者４０は、垂れ２の三角部２０の頂点の位置から、反対側（左側）へ不要分（余った手８）を折り返してクリップ４２で留める。
【００３０】
第三の手順として、着用者４０は、図５で示すように、垂れ表面４に配置される柄２４を表にして、手８を奥側（向こう側）に折る。そして、着用者４０は、図６で示すように、クリップ４２を留め直す。
【００３１】
第四の手順として、着用者４０は、図７で示すように垂れ２でお太鼓を作り、続いて、図８で示すように手先１４を折り、お太鼓２の中に入れる。このとき、垂れ裏面６に配置される柄２２は、内側に折り込むなどして、表に出て来ないようにする（外部から見えないようにする）。
【００３２】
第五の手順として、着用者４０は、図９で示すように、ガーゼを掛けた帯枕４４、帯揚げ４６、帯締め４８をセットし、クリップ４２又は洗濯バサミでお太鼓２などの位置を固定する。そして、着用者４０は、自分の背中にお太鼓２を背負い、ガーゼを体の前で結ぶ。
【００３３】
第六の手順として、着用者４０は、２重に折った手８を自分の胴の部分に巻き付け、背中のお太鼓２の中においてクリップ４２で留める。その後、着用者４０は、帯締めを締めれば、帯１の着用作業は終了である。
【００３４】
次に、垂れ裏面６に配置される柄２２を表とする巻き方を説明する。第一の手順として、着用者４０は、図１０で示すように、手８を横にして名古屋帯１を置き、垂れ（お太鼓）２を垂直上方に跳ね上げる。
【００３５】
第二の手順として、着用者４０は、自分の胴周りの長さの紐を準備しておき、それを用いて手８の長さを調節する。そして、着用者４０は、垂れ２の三角部２０の頂点の位置から、反対側（左側）へ不要分（余った手８）を折り返してクリップ４２で留める。
【００３６】
第三の手順として、着用者４０は、図１０で示すように、垂れ裏面６に配置される柄２２を表にして、手８を手前側に折る。そして、着用者４０は、図１１で示すように、クリップ４２を留め直す。
【００３７】
第四の手順として、着用者４０は、図７及び８と同様に、垂れ裏面６に配置される柄２２を表にして、垂れ２でお太鼓を作り、続いて、手先１４を折り、お太鼓２の中に入れる。このとき、垂れ表面４に配置される柄２４は、内側に折り込むなどして、表に出て来ないようにする（外部から見えないようにする）。なお、折り返した垂れ２の先端部分は、手８の奥側に入れ込む。
【００３８】
第五の手順として、着用者４０は、図９で示すように、ガーゼを掛けた帯枕４４、帯揚げ４６、帯締め４８をセットし、クリップ４２又は洗濯バサミでお太鼓２などの位置を固定する。そして、着用者４０は、自分の背中にお太鼓２を背負い、ガーゼを体の前で結ぶ。
【００３９】
第六の手順として、着用者４０は、２重に折った手８を自分の胴の部分に巻き付け、背中のお太鼓２の中においてクリップ４２で留める。その後、着用者４０は、帯締めを締めれば、帯１の着用作業は終了である。
（２）帯を体に直接巻く方法
【００４０】
図１２乃至１７を用いて、名古屋帯１を着用者４０へ直接巻き付けていく方法について説明する。図１２乃至１７は、名古屋帯１を着用者４０へ直接巻き付けていく方法を順を追って説明する図である。
はじめに、垂れ表面４に配置される柄２４を表に出し、かつ、名古屋帯１を着用者４０へ直接巻き付けていく方法について説明する。
【００４１】
第一の手順として、着用者４０は、図１２で示すように、一般的な帯の締め方に従い、名古屋帯１を締め、手先８に現れる表に出さない柄２２は、内へ折り込んで外から見えないようにする。なお、図１２では、着用者４０の左肩に手先１４を預けてから、手８を巻き始める方法を示しているが、その他種々の巻き方が存在する。
【００４２】
第二の手順として、着用者４０は、図１３で示すように、垂れ表面４に配置される柄２４が表に出るように、お太鼓２のかたちを整え、手先８に現れる表に出さない柄２２は、お太鼓２の中へ折り込んで外から見えないようにする。
次に、垂れ裏面６に配置される柄２２を表に出し、かつ、名古屋帯１を着用者４０へ直接巻き付けていく方法について説明する。
【００４３】
第一の手順として、着用者４０は、図１４で示すように名古屋帯１を折り、ガーゼを掛けた帯枕４４をセットし、クリップ４２又は洗濯バサミでそれぞれの位置を固定する。
【００４４】
第二の手順として、着用者４０は、図１５で示すように、セットされた名古屋帯１を背負い、ガーゼを体の前で結ぶ。そのとき、手８の一巻き目が垂れ表面４、二巻き目が垂れ裏面６となり、一巻き目の柄２４は２巻き目の手８で隠れてしまい、外部からは見えない状態となる。
【００４５】
第三の手順として、着用者４０は、図１６で示すように、手８の二巻き目の柄２２が表に出ている状態において、背中の位置にある手８をクリップ４２で留める。続いて、着用者４０は、図１７で示すように、垂れ２を下ろし、お太鼓のかたちを整えると共に、手先１４の表に出さない柄２４の部分をお太鼓の中に織り込んで、外部からは見えない状態とする。
（総括）
名古屋帯１は、２通りの帯柄を別々に表にすることができ、１本の帯でありながら、２本の帯を所有しているかのように楽しむことができる。
名古屋帯１は、少ない量の帯布で仕立てることができ、経済的である。
名古屋帯１は、一般的な名古屋仕立てで仕立てることができるため、仕立てが容易である。
名古屋帯１は、２通りの帯柄を別々に表にすることができる一方で、収納スペースは１本分であるため省スペースである。
【００４６】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４７】
１    名古屋帯
２    垂れ
４    垂れの表面
６    垂れの裏面
８    手
１０  手の前半部
１２  手の後半部
１４  手先
１６  手先の前半部
１８  手先の後半部
２０  三角部
２２  第一の柄
２４  第二の柄
４０  着用者
４２  クリップ
４４  帯枕
４６  帯揚げ
４８  帯締め
【図１】
2014080699.tif 000003
【図２】
2014080699.tif 000004
【図３】
2014080699.tif 000005
【図４】
2014080699.tif 000006
【図５】
2014080699.tif 000007
【図６】
2014080699.tif 000008
【図７】
2014080699.tif 000009
【図８】
2014080699.tif 000010
【図９】
2014080699.tif 000011
【図１０】
2014080699.tif 000012
【図１１】
2014080699.tif 000013
【図１２】
2014080699.tif 000014
【図１３】
2014080699.tif 000015
【図１４】
2014080699.tif 000016
【図１５】
2014080699.tif 000017
【図１６】
2014080699.tif 000018
【図１７】
2014080699.tif 000019
【手続補正書】
【提出日】平成25年1月24日(2013.1.24)
【手続補正１】
【補正対象書類名】特許請求の範囲
【補正対象項目名】全文
【補正方法】変更
【補正の内容】
【特許請求の範囲】
【請求項１】
柄が異なる二種類の帯として使用することができ、全幅の垂れ、半幅の手及び半幅の手先の順に続く名古屋帯であって、
前記垂れの表面及び裏面においては、それぞれ異なる第一の柄を備える帯布又は第二の柄を備える帯布を、重複が無いように一つずつ配置されるように使用し、
前記垂れに続く前記手が、当該名古屋帯着用者の胴部分に二重に巻いて着用する形態であり、前記手の前半部表裏両面及び後半部表裏両面においては、前記第一の柄を備える帯布又は前記第二の柄を備える帯布を、重複が無いように一つずつ配置されるように使用し、
前記手に続く前記手先の前半部表裏両面及び後半部表裏両面においては、前記第一の柄を備える帯布又は前記第二の柄を備える帯布を、重複が無いように一つずつ配置されるように使用することを特徴とする名古屋帯。
【請求項２】
前記垂れの裏面、該垂れの表面、前記手の前半部、該手の後半部、前記手先の前半部及び該手先の後半部の順に続く全幅の一本の帯布から仕立てられることを特徴とする請求項１に記載の名古屋帯。
【請求項３】
前記垂れの裏面には前記第一の柄を備える帯布を使用し、前記垂れの表面及び前記手の前半部表裏両面には前記第二の柄を備える帯布を使用し、前記手の後半部表裏両面及び前記手先の前半部表裏両面には前記第一の柄を備える帯布を使用し、前記手先の後半部表裏両面には前記第二の柄を備える帯布を使用することを特徴とする請求項１又は２に記載の名古屋帯。